(57)【要約】  本開示の一実施形態に係る消去装置は、可逆性記録媒体に対して、書き込まれた情報の消去を行う装置である。この消去装置は、１または複数のレーザ素子を含む光源部と、可逆性記録媒体に含まれる記録層の数よりも少ない数の発光波長のレーザ光を発するように光源部を制御する制御部とを備えている。
2018235446.tif 000002
【特許請求の範囲】
【請求項１】
可逆性感熱発色性組成物と光熱変換剤とを含む記録層と断熱層とが交互に積層され、かつ各前記可逆性感熱発色性組成物の発色色調が前記記録層ごとに異なるとともに各前記光熱変換剤の吸収波長が前記記録層ごとに異なる可逆性記録媒体に対して、書き込まれた情報の消去を行う消去装置であって、
１または複数のレーザ素子を含む光源部と、
前記可逆性記録媒体に含まれる前記記録層の数よりも少ない数の発光波長のレーザ光を前記可逆性記録媒体に照射するように前記光源部を制御する制御部と
を備えた
消去装置。
【請求項２】
前記可逆性記録媒体の種類を識別する第１識別子の入力を受け付ける受付部を更に備え、
前記制御部は、前記受付部で受け付けた前記第１識別子に対応する前記可逆性記録媒体に含まれる前記記録層の数よりも少ない数の発光波長のレーザ光を前記可逆性記録媒体に照射するように前記光源部を制御する
請求項１に記載の消去装置。
【請求項３】
前記第１識別子と、前記光源部に含まれる前記１または複数のレーザ素子を識別する第２識別子とを関連付けて記憶する記憶部を更に備え、
前記制御部は、前記受付部で受け付けた前記第１識別子に関連する前記第２識別子を前記記憶部から読み出し、前記光源部に含まれる前記１または複数のレーザ素子のうち、前記記憶部から読み出した前記第２識別子に対応する１または複数の第１レーザ素子を駆動する
請求項２に記載の消去装置。
【請求項４】
前記受付部で受け付けた前記第１識別子に対応する前記可逆性記録媒体には、複数の前記記録層として、吸収波長が波長λａ１である第１記録層、吸収波長が波長λａ２（λａ２＜λａ１）である第２記録層、および吸収波長が波長λａ３（λａ３＜λａ２）である第３記録層が設けられており、
前記光源部には、複数の前記レーザ素子として、発光波長がλｂ１（λａ２＜λｂ１＜λａ１）である第１レーザ素子、および発光波長がλｂ２（λａ３＜λｂ２＜λａ２）である第２レーザ素子が設けられており、
前記記憶部には、前記第２識別子として、前記第１レーザ素子および前記第２レーザ素子の識別子が記憶されている
請求項３に記載の消去装置。
【請求項５】
前記受付部で受け付けた前記第１識別子に対応する前記可逆性記録媒体には、複数の前記記録層として、吸収波長が波長λａ１である第１記録層、吸収波長が波長λａ２（λａ２＜λａ１）である第２記録層、および吸収波長が波長λａ３（λａ３＜λａ２）である第３記録層が前記可逆性記録媒体の基材側からこの順に設けられており、
前記光源部には、１つの前記レーザ素子として、発光波長がλｂ３（λａ２−１０ｎｍ＜λｂ３＜λａ２＋１０ｎｍ）である第３レーザ素子が設けられており、
前記記憶部には、前記第２識別子として、前記第３レーザ素子の識別子が記憶されている
請求項３に記載の消去装置。
【請求項６】
前記受付部で受け付けた前記第１識別子に対応する前記可逆性記録媒体には、複数の前記記録層として、吸収波長が波長λａ１である第１記録層、吸収波長が波長λａ２（λａ２＜λａ１）である第２記録層、および吸収波長が波長λａ３（λａ３＜λａ２）である第３記録層が前記可逆性記録媒体の基材側からこの順に設けられており、
前記光源部には、１つの前記レーザ素子として、発光波長がλｂ４（λａ３−１０ｎｍ＜λｂ４＜λａ３＋１０ｎｍ）である第４レーザ素子が設けられており、
前記記憶部には、前記第２識別子として、前記第４レーザ素子の識別子が記憶されている
請求項３に記載の消去装置。
【請求項７】
前記受付部で受け付けた前記第１識別子に対応する前記可逆性記録媒体には、複数の前記記録層として、吸収波長が波長λａ１である第１記録層、吸収波長が波長λａ２（λａ２＜λａ１）である第２記録層、および吸収波長が波長λａ３（λａ３＜λａ２）である第３記録層が前記可逆性記録媒体の基材側からこの順に設けられており、
前記光源部には、複数の前記レーザ素子として、発光波長がλｂ５（λａ３＜λｂ５＜λａ２）である第５レーザ素子、および発光波長がλｂ６（λａ１−１０ｎｍ＜λｂ６＜λａ１＋１０ｎｍ）である第６レーザ素子が設けられており、
前記記憶部には、前記第２識別子として、前記第５レーザ素子および前記第６レーザ素子の識別子が記憶されている
請求項３に記載の消去装置。
【請求項８】
可逆性感熱発色性組成物と光熱変換剤とを含む記録層と断熱層とが交互に積層され、かつ各前記可逆性感熱発色性組成物の発色色調が前記記録層ごとに異なるとともに各前記光熱変換剤の吸収波長が前記記録層ごとに異なる可逆性記録媒体に対して、
前記可逆性記録媒体に含まれる前記記録層の数よりも少ない数の発光波長のレーザ光を前記可逆性記録媒体に照射することにより、前記可逆性記録媒体に書き込まれた情報の消去を行うことを含む
消去方法。
【請求項９】
前記可逆性記録媒体には、複数の前記記録層として、吸収波長が波長λａ１である第１記録層、吸収波長が波長λａ２（λａ２＜λａ１）である第２記録層、および吸収波長が波長λａ３（λａ３＜λａ２）である第３記録層が設けられており、
前記可逆性記録媒体への前記レーザ光の照射に際して、発光波長がλｂ１（λａ２＜λｂ１＜λａ１）である第１レーザ光と、発光波長がλｂ２（λａ３＜λｂ２＜λａ２）である第２レーザ光とを用いることを含む
請求項８に記載の消去方法。
【請求項１０】
前記可逆性記録媒体には、複数の前記記録層として、吸収波長が波長λａ１である第１記録層、吸収波長が波長λａ２（λａ２＜λａ１）である第２記録層、および吸収波長が波長λａ３（λａ３＜λａ２）である第３記録層が前記可逆性記録媒体の基材側からこの順に設けられており、
前記可逆性記録媒体への前記レーザ光の照射に際して、発光波長がλｂ３（λａ２−１０ｎｍ＜λｂ３＜λａ２＋１０ｎｍ）である第３レーザ光を用いることを含む
請求項８に記載の消去方法。
【請求項１１】
前記可逆性記録媒体には、複数の前記記録層として、吸収波長が波長λａ１である第１記録層、吸収波長が波長λａ２（λａ２＜λａ１）である第２記録層、および吸収波長が波長λａ３（λａ３＜λａ２）である第３記録層が前記可逆性記録媒体の基材側からこの順に設けられており、
前記可逆性記録媒体への前記レーザ光の照射に際して、発光波長がλｂ４（λａ３−１０ｎｍ＜λｂ４＜λａ３＋１０ｎｍ）である第４レーザ光を用いることを含む
請求項８に記載の消去方法。
【請求項１２】
前記可逆性記録媒体には、複数の前記記録層として、吸収波長が波長λａ１である第１記録層、吸収波長が波長λａ２（λａ２＜λａ１）である第２記録層、および吸収波長が波長λａ３（λａ３＜λａ２）である第３記録層が前記可逆性記録媒体の基材側からこの順に設けられており、
前記可逆性記録媒体への前記レーザ光の照射に際して、発光波長がλｂ５（λａ３＜λｂ５＜λａ２）である第５レーザ光と、発光波長がλｂ６（λａ１−１０ｎｍ＜λｂ６＜λａ１＋１０ｎｍ）である第６レーザ光とを用いることを含む
請求項８に記載の消去方法。
【発明の詳細な説明】
【技術分野】
【０００１】
本開示は、消去装置および消去方法に関する。
【背景技術】
【０００２】
ロイコ色素などの感熱発色性組成物を用いた感熱方式の記録媒体が普及している（例えば、特許文献１〜３参照）。現在、そのような記録媒体には、一度書き込んだら消去のできない不可逆性の記録媒体と、何度でも書き換え可能な可逆性の記録媒体が実用化されている。可逆性の記録媒体では、例えば、書き込み用の光源と、消去用の光源とを備えた描画装置によって、情報の書き込みおよび消去が行われる。また、可逆性の記録媒体では、例えば、書き込み用の光源を備えた書き込み装置によって情報の書き込みが行われ、消去用の光源を備えた消去装置によって情報の消去が行われる。
【先行技術文献】
【特許文献】
【０００３】
【特許文献１】特開２００４−７４５８４号公報
【特許文献２】特開２００４−１８８８２７号公報
【特許文献３】特開２０１１−１０４９９５号公報
【発明の概要】
【０００４】
ところで、上記の描画装置や消去装置では、消去に用いられる構成の小型化が望まれている。従って、小型化することの可能な消去装置および消去方法を提供することが望ましい。
【０００５】
本開示の一実施形態に係る消去装置は、可逆性記録媒体に対して、書き込まれた情報の消去を行う装置である。ここで、可逆性記録媒体では、可逆性感熱発色性組成物と光熱変換剤とを含む記録層と断熱層とが交互に積層されている。この可逆性記録媒体では、さらに、各可逆性感熱発色性組成物の発色色調が記録層ごとに異なるとともに各光熱変換剤の吸収波長が記録層ごとに異なっている。消去装置は、１または複数のレーザ素子を含む光源部と、可逆性記録媒体に含まれる記録層の数よりも少ない数の発光波長のレーザ光を発するように光源部を制御する制御部とを備えている。
【０００６】
本開示の一実施形態に係る消去方法は、可逆性感熱発色性組成物と光熱変換剤とを含む記録層と断熱層とが交互に積層され、かつ各可逆性感熱発色性組成物の発色色調が記録層ごとに異なるとともに各光熱変換剤の吸収波長が記録層ごとに異なる可逆性記録媒体に対して、以下のことを行うことを含む。
可逆性記録媒体に含まれる記録層の数よりも少ない数の発光波長のレーザ光を可逆性記録媒体に照射することにより、可逆性記録媒体に書き込まれた情報の消去を行うこと
【０００７】
本開示の一実施形態に係る消去装置および消去方法では、可逆性記録媒体に含まれる記録層の数よりも少ない数の発光波長のレーザ光が可逆性記録媒体に照射される。これにより、可逆性記録媒体に含まれる記録層の数と同じ数のレーザ素子が設けられている場合と比べて、レーザ素子の数が減った分だけ、装置サイズを小さくすることができる。
【０００８】
本開示の一実施形態に係る消去装置および消去方法によれば、可逆性記録媒体に含まれる記録層の数よりも少ない数の発光波長のレーザ光を可逆性記録媒体に照射するようにしたので、装置を小型化することができる。なお、本開示の効果は、ここに記載された効果に必ずしも限定されず、本明細書中に記載されたいずれの効果であってもよい。
【図面の簡単な説明】
【０００９】
【図１】本開示の第１の実施の形態に係る消去装置のシステム構成例を表す図である。
【図２】可逆性記録媒体の断面構成例を表す図である。
【図３】可逆性記録媒体に含まれる各記録層の吸収波長と、レーザ光の発振波長（発光波長）との関係の一例を表す図である。
【図４】可逆性記録媒体に含まれる各記録層の吸収波長と、レーザ光の発振波長（発光波長）との関係の他の例を表す図である。
【図５】可逆性記録媒体へのレーザ光の照射手順の一例を表す図である。
【図６】本開示の第２の実施の形態に係る消去装置のシステム構成例を表す図である。
【図７】可逆性記録媒体に含まれる各記録層の吸収波長と、レーザ光の発振波長（発光波長）との関係の一例を表す図である。
【図８】可逆性記録媒体に含まれる各記録層の吸収波長と、レーザ光の発振波長（発光波長）との関係の他の例を表す図である。
【図９】可逆性記録媒体へのレーザ光の照射手順の一例を表す図である。
【図１０】本開示の第３の実施の形態に係る消去装置のシステム構成例を表す図である。
【図１１】図１０のデータベースの一例を表す図である。
【図１２】図１０の消去装置の概略構成の一変形例を表す図である。
【図１３】図１２のデータベースの一例を表す図である。
【発明を実施するための形態】
【００１０】
以下、本開示を実施するための形態について、図面を参照して詳細に説明する。以下の説明は本開示の一具体例であって、本開示は以下の態様に限定されるものではない。なお、説明は以下の順序で行う。
１．第１の実施の形態
２．第２の実施の形態
３．第３の実施の形態
４．第３の実施の形態の変形例
【００１１】
＜１．第１の実施の形態＞
[構成]
本開示の第１の実施の形態に係る消去装置１について説明する。図１は、本実施の形態に係る消去装置１のシステム構成例を表したものである。消去装置１は、可逆性記録媒体１００に対して、書き込まれた情報の消去を行う。最初に、可逆性記録媒体１００について説明し、その後に、消去装置１について説明する。
【００１２】
（可逆性記録媒体１００）
図２は、可逆性記録媒体１００に含まれる各層の構成例を表したものである。可逆性記録媒体１００は、例えば、基材１１０上に記録層１１３と断熱層１１４とが交互に積層された構造となっている。
【００１３】
可逆性記録媒体１００は、例えば、基材１１０上に、下地層１１２と、３つの記録層１１３（１１３ａ，１１３ｂ，１１３ｃ）と、２つの断熱層１１４（１１４ａ，１１４ｂ）と、保護層１１５とを備えている。３つの記録層１３（１１３ａ，１１３ｂ，１１３ｃ）は、基材１１０側から、記録層１１３ａ、記録層１１３ｂ、記録層１１３ｃの順に配置されている。２つの断熱層１１４（１１４ａ，１１４ｂ）は、基材１１０側から、断熱層１１４ａ、断熱層１１４ｂの順に配置されている。下地層１１２は、基材１１０の表面に接して形成されている。保護層１１５は、可逆性記録媒体１００の最表面に形成されている。
【００１４】
基材１１０は、各記録層１１３および各断熱層１１４を支持する。基材１１０は、その表面に各層を形成するための基板として機能する。基材１１０は光を透過するものであってもよいし、光を透過しないものであってもよい。光を透過しない場合には、基材１１０の表面の色は、例えば白色であってもよいし、白色以外の色であってもよい。基材１１０は、例えば、ＡＢＳ樹脂により構成されている。下地層１１２は、記録層１１３ａと基材１１０との密着性を向上させる機能を有するものである。下地層１１２は、例えば、光を透過する材料によって構成されている。
【００１５】
３つの記録層１１３（１１３ａ，１１３ｂ，１１３ｃ）は、発色状態と消色状態との間で可逆的に状態を変化させることができるものである。３つの記録層１１３（１１３ａ，１１３ｂ，１１３ｃ）は、発色状態における色が互いに異なる色になるように構成されている。３つの記録層１１３（１１３ａ，１１３ｂ，１１３ｃ）は、それぞれ、ロイコ色素１００Ａ（可逆性感熱発色性組成物）と、書き込みの際に発熱させる光熱変換剤１００Ｂ（第１光熱変換剤）とを含んで構成されている。３つの記録層１３（１１３ａ，１１３ｂ，１１３ｃ）は、それぞれ、さらに、顕色剤およびポリマーを含んで構成されている。
【００１６】
ロイコ色素１００Ａは、熱により顕色剤と結合して発色状態になり、あるいは顕色剤と分離して消色状態になるものである。各記録層１１３（１１３ａ，１１３ｂ，１１３ｃ）に含まれるロイコ色素１００Ａの発色色調は、記録層１１３ごとに異なっている。記録層１１３ａに含まれるロイコ色素１００Ａは、熱により顕色剤と結合することによりマゼンタ色に発色する。記録層１１３ｂに含まれるロイコ色素１００Ａは、熱により顕色剤と結合することによりシアン色に発色する。記録層１１３ｃに含まれるロイコ色素１００Ａは、熱により顕色剤と結合することにより黄色に発色する。３つの記録層１１３（１１３ａ，１１３ｂ，１１３ｃ）の位置関係は、上記の例に限定されるものではない。また、３つの記録層１１３（１１３ａ，１１３ｂ，１１３ｃ）は、消色状態では透明になる。これにより、可逆性記録媒体１００は、広い色域の色を用いて、画像を記録することができるようになっている。
【００１７】
光熱変換剤１００Ｂは、近赤外域（７００ｎｍ〜２５００ｎｍ）の光を吸収して熱を発するものである。各記録層１１３（１１３ａ，１１３ｂ，１１３ｃ）に含まれる光熱変換剤１００Ｂでは、吸収波長が互いに異なっている。図３、図４は、各記録層１１３（１１３ａ，１１３ｂ，１１３ｃ）に含まれる光熱変換剤１００Ｂの吸収波長の一例を表したものである。記録層１１３ｃに含まれる光熱変換剤１００Ｂは、例えば、図３（Ａ）、図４（Ａ）に示したように、７６０ｎｍに吸収ピークを有している。記録層１１３ｂに含まれる光熱変換剤１１０Ｂは、例えば、図３（Ｂ）、図４（Ｂ）に示したように、８６０ｎｍに吸収ピークを有している。記録層１１３ａに含まれる光熱変換剤１００Ｂは、例えば、図３（Ｃ）、図４（Ｃ）に示したように、９１５ｎｍに吸収ピークを有している。各記録層１１３（１１３ａ，１１３ｂ，１１３ｃ）に含まれる光熱変換剤１００Ｂの吸収ピークは、上記の例に限定されるものではない。
【００１８】
断熱層１１４ａは、記録層１１３ａと記録層１１３ｂとの間で互いに熱が伝わりにくくするためのものである。断熱層１１４ｂは、記録層１１３ｂと記録層１１３ｃとの間で互いに熱が伝わりにくくするためのものである。保護層１１５は、可逆性記録媒体１００の表面を保護するためのものであり、可逆性記録媒体１００のオーバーコート層として機能する。２つの断熱層１１４（１１４ａ，１１４ｂ）および保護層１１５は、透明な材料によって構成されている。可逆性記録媒体１００は、例えば、保護層１１５の直下に、比較的剛性の高い樹脂層（例えば、ＰＥＮ樹脂層）などを備えていてもよい。
【００１９】
[製造方法]
次に、可逆性記録媒体１００におけるいくつかの層の具体的な製造方法について説明する。
【００２０】
下記材料を含有する塗料を、ロッキングミルを用いて２時間分散させた。それにより得られた塗料をワイヤーバーで塗布し、７０℃にて５分間加熱乾燥処理を施した。このようにして、厚さ３μｍの記録層１３を形成した。
【００２１】
記録層１１３ａを形成するための塗料には以下の材料を含む。
・ロイコ色素（２重量部）
【化１】
2018235446.tif 000003
・顕・減色剤（４重量部）
【化２】
2018235446.tif 000004
・塩化ビニル酢酸ビニル共重合体（５重量部）
塩化ビニル９０％、酢酸ビニル１０％、平均分子量（Ｍ．Ｗ．）１１５０００
・メチルエチルケトン（ＭＥＫ）（９１重量部）
・光熱変換剤
シアニン系赤外吸収色素：０．１９重量部
（Ｈ．Ｗ．ＳＡＮＤＳ社製、ＳＤＡ７７７５、吸収波長ピーク：９３３ｎｍ）
【００２２】
記録層１１３ｂを形成するための塗料には以下の材料を含む。
・ロイコ色素（１．８重量部）
【化３】
2018235446.tif 000005
・顕・減色剤（４重量部）
【化４】
2018235446.tif 000006
・塩化ビニル酢酸ビニル共重合体（５重量部）
塩化ビニル９０％、酢酸ビニル１０％、平均分子量（Ｍ．Ｗ．）１１５０００
・メチルエチルケトン（ＭＥＫ）（９１重量部）
・光熱変換剤
シアニン系赤外吸収色素：０．１２重量部
（Ｈ．Ｗ．ＳＡＮＤＳ社製、ＳＤＡ５６８８、吸収波長ピーク８６１ｎｍ）
【００２３】
記録層１１３ｃを形成するための塗料には以下の材料を含む。
・ロイコ色素１００Ａ（１．３重量部）
【化５】
2018235446.tif 000007
・顕・減色剤（４重量部）
【化６】
2018235446.tif 000008
・塩化ビニル酢酸ビニル共重合体（５重量部）
塩化ビニル９０％、酢酸ビニル１０％、平均分子量（Ｍ．Ｗ．）１１５０００
・メチルエチルケトン（ＭＥＫ）（９１重量部）
・光熱変換剤
シアニン系赤外吸収色素：０．１０重量部
（日本化薬製、ＣＹ−１０、吸収波長ピーク７９８ｎｍ）
【００２４】
ポリビニルアルコール水溶液を塗布、乾燥した。このようにして、厚さ２０μｍの断熱層１１４を形成した。また、紫外線硬化性樹脂を塗布した後、紫外線を照射して硬化させた。このようにして、厚さ約２μｍの保護層１１５を形成した。
【００２５】
（消去装置１）
次に、本実施の形態に係る消去装置１について説明する。
【００２６】
消去装置１は、信号処理回路１０（制御部）、レーザ駆動回路２０、光源部３０、スキャナ駆動回路４０、およびスキャナ部５０を備えている。
【００２７】
信号処理回路１０は、例えば、レーザ駆動回路２０とともに、可逆性記録媒体１００の特徴や、可逆性記録媒体１００へ書き込まれた条件に応じて、光源部３０（例えば、後述の各光源３１Ａ，３１Ｂ）に印加する電流パルスの波高値などを制御する。信号処理回路１０は、例えば、外部から入力された消去信号Ｄｉｎから、スキャナ部５０のスキャナ動作に同期し、レーザ光の波長などの特性に応じた画像信号（消去用の画像信号）を生成する。
【００２８】
信号処理回路１０は、例えば、入力された消去信号Ｄｉｎを光源部３０の各光源の波長に応じた画像信号に変換（色域変換）する。信号処理回路１０は、例えば、スキャナ部５０のスキャナ動作に同期した投影映像クロック信号を生成する。信号処理回路１０は、例えば、生成した画像信号通りにレーザ光が発光するような投影画像信号（消去用の投影画像信号）を生成する。信号処理回路１０は、例えば、生成した投影画像信号を、レーザ駆動回路２０に出力する。また、信号処理回路１０は、例えば、必要に応じて、投影画像クロック信号を、レーザ駆動回路２０に出力する。ここで、「必要に応じて」とは、後述するように、高周波信号の信号源を画像信号に同期させる際に投影画像クロック信号を用いる場合などである。
【００２９】
レーザ駆動回路２０は、例えば、各波長に応じた投影映像信号にしたがって光源部３０の各光源３１Ａ，３１Ｂを駆動する。レーザ駆動回路２０は、例えば、投影画像信号に応じた画像（消去用の画像）を描画するためにレーザ光の輝度（明暗）をコントロールする。レーザ駆動回路２０は、例えば、光源３１Ａを駆動する駆動回路２０Ａと、光源３１Ｂを駆動する駆動回路２０Ｂとを有している。光源３１Ａ，３１Ｂは、近赤外域（７００ｎｍ〜２５００ｎｍ）のレーザ光を出射する。光源３１Ａは、例えば、発光波長λ１のレーザ光Ｌａを出射する半導体レーザである。光源３１Ｂは、例えば、発光波長λ２のレーザ光Ｌｂを出射する半導体レーザである。発光波長λ１，λ２は、例えば、以下の条件１（式（１）、式（２））を満たしている。発光波長λ１，λ２は、例えば、以下の条件２（式（３）、式（４））を満たしていてもよい。
【００３０】
〜条件１〜
λａ２＜λ１＜λａ１…（１）
λａ３＜λ２＜λａ２…（２）
〜条件２〜
λａ１−１０ｎｍ＜λ１＜λａ１＋１０ｎｍ…（３）
λａ３＜λ２＜λａ２…（４）
【００３１】
ここで、λａ１は、後述の記録層１２０の吸収波長（吸収ピーク波長）であり、例えば、９１５ｎｍである。λａ２は、後述の記録層１４０の吸収波長（吸収ピーク波長）であり、例えば、８６０ｎｍである。λａ３は、後述の記録層１６０の吸収波長（吸収ピーク波長）であり、例えば、７６０ｎｍである。なお、式（３）における「±１０ｎｍ」は、許容誤差範囲を意味している。発光波長λ１，λ２が上記の条件１を満たす場合、発光波長λ１は、例えば、８８０ｎｍであり、発光波長λ２は、例えば、７９０ｎｍである。発光波長λ１，λ２が上記の条件２を満たす場合、発光波長λ１は、例えば、９５０ｎｍであり、発光波長λ２は、例えば、７９０ｎｍである。
【００３２】
光源部３０は、可逆性記録媒体１００に含まれる記録層１１３の数（例えば３つ）よりも少ない数（例えば２つ）の光源を有している。光源部３０は、例えば、２つの光源３１Ａ，３１Ｂを有している。光源部３０は、さらに、例えば、１つの反射ミラー３２ａと、１つのダイクロイックミラー３２ｂとを有している。２つの光源３１Ａ，３１Ｂから出射された各レーザ光Ｌａ，Ｌｂは、例えば、コリメートレンズによってほぼ平行光（コリメート光）にされる。その後、例えば、レーザ光Ｌａは、反射ミラー３２ａで反射されるとともにダイクロイックミラー３２ｂで反射され、レーザ光Ｌｂは、ダイクロイックミラー３２ｂを透過することにより、レーザ光Ｌａとレーザ光Ｌａとが合波される。光源部３０は、例えば、合波により得られた合波光Ｌｍをスキャナ部５０に出力する。
【００３３】
スキャナ駆動回路４０は、例えば、信号処理回路１０から入力された投影映像クロック信号に同期して、スキャナ部５０を駆動する。また、スキャナ駆動回路４０は、例えば、スキャナ部５０から、後述の２軸スキャナ５１などの照射角度についての信号が入力される場合には、その信号に基づいて、所望の照射角度になるようにスキャナ部５０を駆動する。
【００３４】
スキャナ部５０は、例えば、光源部３０から入射された合波光Ｌｍを、可逆性記録媒体１００の表面上で線順次で走査させる。スキャナ部５０は、例えば、２軸スキャナ５１と、ｆθレンズ５２とを有している。２軸スキャナ５１は、例えば、ガルバノミラーである。ｆθレンズ５２は、２軸スキャナ５１による等速回転運動を、焦点平面（可逆性記録媒体１００の表面）上を動くスポットの等速直線運動に変換する。
【００３５】
次に、可逆性記録媒体１００における情報の書き込み・消去について説明する。
【００３６】
[書き込み]
まず、可逆性記録媒体１００を用意し、書き込み用の装置にセットする。次に、例えば、発光波長７６０ｎｍのレーザ光、８６０ｎｍのレーザ光、および９１５ｎｍのレーザ光を合波することにより得られた合波光が、書き込み用の装置から可逆性記録媒体１００に照射される。その結果、発光波長７６０ｎｍのレーザ光が、記録層１１３ｃ内の光熱変換剤１００Ｂに吸収され、それにより、光熱変換剤１００Ｂから発生した熱により記録層１１３ｃ内のロイコ色素１００Ａが書き込み温度に到達し、顕色剤と結合して黄色を発色する。黄色の発色濃度は、発光波長７６０ｎｍのレーザ光の強度に依る。また、発光波長８６０ｎｍのレーザ光が、記録層１１３ｂ内の光熱変換剤１００Ｂに吸収され、それにより、光熱変換剤１００Ｂから発生した熱により記録層１１３ｂ内のロイコ色素１００Ａが書き込み温度に到達し、顕色剤と結合してシアン色を発色する。シアン色の発色濃度は、発光波長８６０ｎｍのレーザ光の強度に依る。また、発光波長９１５ｎｍのレーザ光が、記録層１１３ａ内の光熱変換剤１００Ｂに吸収され、それにより、光熱変換剤１００Ｂから発生した熱により記録層１１３ａ内のロイコ色素１００Ａが書き込み温度に到達し、顕色剤と結合してマゼンタ色を発色する。マゼンタ色の発色濃度は、発光波長９１５ｎｍのレーザ光の強度に依る。その結果、黄色、シアン色およびマゼンタ色の混色によって、所望の色が発色する。このようにして、可逆性記録媒体１００における情報の書き込みが行われる。
【００３７】
[消去]
まず、上記のようにして情報の書き込まれた可逆性記録媒体１００を用意し、消去装置１にセットする（ステップＳ１０１、図５）。次に、消去装置１（信号処理回路１０）は、セットされた可逆性記録媒体１００に含まれる記録層１１３の数（例えば３つ）よりも少ない数（例えば２つ）の発光波長のレーザ光を可逆性記録媒体１００に照射するように光源部３０を制御する（ステップＳ１０２、図５）。つまり、消去装置１（信号処理回路１０）は、可逆性記録媒体１００へのレーザ光の照射に際して、発光波長がλ１であるレーザ光Ｌａと、発光波長がλ２であるレーザ光Ｌｂとを用いる。
【００３８】
ここで、波長λ１，λ２が、上記の条件１（式（１）、式（２））を満たしているとする。この場合には、発光波長λ１（例えば８８０ｎｍ）のレーザ光Ｌａが、例えば、記録層１１３ａ，１１３ｂ内の光熱変換剤１００Ｃに吸収される。また、発光波長λ２（例えば７９０ｎｍ）のレーザ光Ｌｂが、例えば、記録層１１３ｃ内の光熱変換剤１００Ｃに吸収される。これらにより、記録層１１３ａ，１１３ｂ，１１３ｃ内の光熱変換剤１００Ｃから発生した熱により各記録層１１３内のロイコ色素１００Ａが消去温度に到達し、顕色剤と分離して消色する。このようにして、消去装置１は、可逆性記録媒体１００に書き込まれた情報の消去を行う。
【００３９】
一方、波長λ１，λ２が、上記の条件２（式（３）、式（４））を満たしているとする。この場合には、発光波長λ１（例えば９１５ｎｍ）のレーザ光Ｌａが、例えば、記録層１１３ａ，１１３ｂ内の光熱変換剤１００Ｃに吸収される。また、発光波長λ２（例えば７９０ｎｍ）のレーザ光Ｌｂが、例えば、記録層１１３ｃ内の光熱変換剤１００Ｃに吸収される。これらにより、記録層１１３ａ，１１３ｂ，１１３ｃ内の光熱変換剤１００Ｃから発生した熱により各記録層１１３内のロイコ色素１００Ａが消去温度に到達し、顕色剤と分離して消色する。このようにして、消去装置１は、可逆性記録媒体１００に書き込まれた情報の消去を行う。
【００４０】
[効果]
次に、本実施の形態に係る消去装置１の効果について説明する。
【００４１】
ロイコ色素などの感熱発色性組成物を用いた感熱方式の記録媒体が普及している。現在、そのような記録媒体には、一度書き込んだら消去のできない不可逆性の記録媒体と、何度でも書き換え可能な可逆性の記録媒体が実用化されている。可逆性の記録媒体では、例えば、書き込み用の光源と、消去用の光源とを備えた描画装置によって、情報の書き込みおよび消去が行われる。また、可逆性の記録媒体では、例えば、書き込み用の光源を備えた書き込み装置によって情報の書き込みが行われ、消去用の光源を備えた消去装置によって情報の消去が行われる。ところで、上記の描画装置や消去装置では、消去に用いられる構成の小型化が望まれている。
【００４２】
一方、本実施の形態では、可逆性記録媒体１００に含まれる記録層１３の数よりも少ない数の発光波長のレーザ光が可逆性記録媒体１００に照射される。これにより、可逆性記録媒体１００に含まれる記録層１３の数と同じ数のレーザ素子が設けられている場合と比べて、レーザ素子の数が減った分だけ、装置サイズを小さくすることができる。その結果、装置を小型化することができる。
【００４３】
また、本実施の形態では、消去動作時に、可逆性記録媒体１００へのレーザ光の照射に際して、発光波長がλ１であるレーザ光Ｌａと、発光波長がλ２であるレーザ光Ｌｂとが用いられる。これにより、可逆性記録媒体１００に含まれる記録層１３の数と同じ数（例えば３つ）だけレーザ素子を設けた場合と比べて、レーザ素子の数が１つ少ない分だけ、装置サイズを小さくすることができる。その結果、装置を小型化することができる。
＜２．第２の実施の形態＞
[構成]
次に、本開示の第２の実施の形態に係る消去装置２について説明する。図６は、本実施の形態に係る消去装置２のシステム構成例を表したものである。消去装置２は、可逆性記録媒体１００に対して、書き込まれた情報の消去を行う。
【００４４】
（消去装置２）
消去装置２は、信号処理回路１０（制御部）、レーザ駆動回路２１、光源部３１、スキャナ駆動回路４０、およびスキャナ部５０を備えている。
【００４５】
レーザ駆動回路２１は、例えば、光源部３１の波長に応じた投影映像信号（消去用の投影画像信号）にしたがって光源部３１（例えば後述の光源３１Ｃ）を駆動する。レーザ駆動回路２１は、例えば、投影画像信号に応じた画像（消去用の画像）を描画するためにレーザ光の輝度（明暗）をコントロールする。レーザ駆動回路２１は、例えば、光源３１Ｃを駆動する駆動回路２０Ｃを有している。光源３１Ｃは、近赤外域（７００ｎｍ〜２５００ｎｍ）のレーザ光を出射する。光源３１Ｃは、例えば、発光波長λ３のレーザ光Ｌｃを出射する半導体レーザである。発光波長λ３は、例えば、以下の条件３（式（５））を満たしている。発光波長λ３は、例えば、以下の条件４（式（６））を満たしていてもよい。
【００４６】
〜条件３〜
λａ２−１０ｎｍ＜λ３＜λａ２＋１０ｎｍ…（５）
〜条件４〜
λａ３−１０ｎｍ＜λ４＜λａ３＋１０ｎｍ…（６）
【００４７】
式（５），式（６）における「±１０ｎｍ」は、許容誤差範囲を意味している。発光波長λ３が上記の条件３を満たす場合、発光波長λ３は、例えば、８６０ｎｍである。発光波長λ３が上記の条件４を満たす場合、発光波長λ３は、例えば、７６０ｎｍである。
【００４８】
光源部３１は、可逆性記録媒体１００に含まれる記録層１１３の数（例えば３つ）よりも少ない数（例えば１つ）の光源を有している。光源部３１は、例えば、１つの光源３１Ｃを有している。光源３１Ｃから出射されたレーザ光Ｌ３は、例えば、コリメートレンズによってほぼ平行光（コリメート光）にされる。光源部３１は、例えば、光源３１Ｃからのレーザ光Ｌｃをスキャナ部５０に出力する。スキャナ部５０は、例えば、光源部３１から入射されたレーザ光Ｌｃを、可逆性記録媒体１００の表面上で線順次で走査させる。
【００４９】
次に、可逆性記録媒体１００における情報の消去について説明する。なお、可逆性記録媒体１００における情報の書き込み方法は、上記実施の形態に記載の書き込み方法と同様である。
【００５０】
[消去]
まず、情報の書き込まれた可逆性記録媒体１００を用意し、消去装置２にセットする（ステップＳ２０１、図９）。次に、消去装置２（信号処理回路１０）は、セットされた可逆性記録媒体１００に含まれる記録層１１３の数（例えば３つ）よりも少ない数（例えば１つ）の発光波長のレーザ光を可逆性記録媒体１００に照射するように光源部３１を制御する（ステップＳ２０２、図９）。つまり、消去装置２（信号処理回路１０）は、可逆性記録媒体１００へのレーザ光の照射に際して、発光波長がλ３であるレーザ光Ｌ３を用いる。
【００５１】
ここで、波長λ３が、上記の条件３（式（５））を満たしているとする。この場合には、発光波長λ３（例えば８６０ｎｍ）のレーザ光Ｌ３が、例えば、記録層１１３ｂ，１１３ｃ内の光熱変換剤１００Ｃに吸収される。これにより、記録層１１３ｂ，１１３ｃ内の光熱変換剤１００Ｃから発生した熱により各記録層１１３内のロイコ色素１００Ａが消去温度に到達し、顕色剤と分離して消色する。このようにして、消去装置２は、可逆性記録媒体１００に書き込まれた情報の消去を行う。
【００５２】
一方、波長λ３が、上記の条件４（式（６））を満たしているとする。この場合には、発光波長λ３（例えば７６０ｎｍ）のレーザ光Ｌ３が、例えば、記録層１１３ａ，１１３ｂ内の光熱変換剤１００Ｃに吸収される。これにより、記録層１１３ａ，１１３ｂ内の光熱変換剤１００Ｃから発生した熱により各記録層１１３内のロイコ色素１００Ａが消去温度に到達し、顕色剤と分離して消色する。このようにして、消去装置２は、可逆性記録媒体１００に書き込まれた情報の消去を行う。
【００５３】
[効果]
次に、本実施の形態に係る消去装置２の効果について説明する。
【００５４】
本実施の形態では、可逆性記録媒体１００に含まれる記録層１３の数よりも少ない数の発光波長のレーザ光が可逆性記録媒体１００に照射される。これにより、可逆性記録媒体１００に含まれる記録層１３の数と同じ数のレーザ素子が設けられている場合と比べて、レーザ素子の数が減った分だけ、装置サイズを小さくすることができる。その結果、装置を小型化することができる。
【００５５】
また、本実施の形態では、消去動作時に、可逆性記録媒体１００へのレーザ光の照射に際して、発光波長がλ３であるレーザ光Ｌ３が用いられる。これにより、可逆性記録媒体１００に含まれる記録層１３の数と同じ数（例えば３つ）だけレーザ素子を設けた場合と比べて、レーザ素子の数が２つ少ない分だけ、装置サイズを小さくすることができる。その結果、装置を小型化することができる。
＜３．第３の実施の形態＞
[構成]
次に、本開示の第３の実施の形態に係る消去装置３について説明する。図１０は、本実施の形態に係る消去装置３のシステム構成例を表したものである。消去装置３は、可逆性記録媒体１００に対して、書き込まれた情報の消去を行う。
【００５６】
（消去装置３）
消去装置３は、信号処理回路１０、レーザ駆動回路２２、光源部３２、スキャナ駆動回路４０、およびスキャナ部５０を備えている。消去装置３は、さらに、受付部６０および記憶部７０を備えている。信号処理回路１０および受付部６０が、本開示の「制御部」の一具体例に相当する。
【００５７】
記憶部７０は、例えば、図１０、図１１に示したように、可逆性記録媒体１００の種類を識別する識別子（第１識別子）と、光源部３２に含まれる１または複数の光源を識別する識別子（第２識別子）とを関連付けて記憶する。記憶部７０は、例えば、図１０、図１１に示したように、第１識別子と、第２識別子とを関連付けたデータベース７１を有している。データベース７１は、第１識別子として、可逆性記録媒体１００の種類を識別する製品ＩＤ７１Ａを記憶しており、第２識別子として、可逆性記録媒体１００に対応する光源の種類を識別するレーザＩＤ７１Ｂを記憶している。
【００５８】
ここで、光源３２が条件１および条件２のいずれの条件（式（７）〜式（１０））にも合致する光源を有しているとする。このとき、光源３２は、例えば、光源３１Ｄ，３１Ｅ，３２Ｆを有している。光源３１Ｄは、発光波長λ５のレーザ光Ｌｄを出射する半導体レーザである。光源３１Ｅは、発光波長λ６のレーザ光Ｌｅを出射する半導体レーザである。光源３１Ｄは、発光波長λ７のレーザ光Ｌｆを出射する半導体レーザである。発光波長λ５，λ６は、以下の条件１（式（７）、式（８））を満たしている。発光波長λ６，λ７は、以下の条件２（式（９）、式（１０））を満たしている。発光波長λ５は、例えば、８８０ｎｍであり、発光波長λ６は、例えば、７９０ｎｍであり、発光波長λ７は、例えば、９１５ｎｍである。
【００５９】
〜条件１〜
λａ２＜λ５＜λａ１…（７）
λａ３＜λ６＜λａ２…（８）
〜条件２〜
λａ１−１０ｎｍ＜λ７＜λａ１＋１０ｎｍ…（９）
λａ３＜λ６＜λａ２…（１０）
【００６０】
光源３２が条件１および条件２のいずれの条件（式（７）〜式（１０））にも合致する光源を有している場合、データベース７１には、例えば、条件１に対応する製品ＩＤ７１Ａとして「００１」が割り当てられており、条件１に対応するレーザＩＤ７１Ｂとして「８８０（つまり光源３１Ｄ）」および「７９０（つまり光源３１Ｅ）」が割り当てられている。また、データベース７１には、例えば、条件２に対応する製品ＩＤ７１Ａとして「００２」が割り当てられており、条件２に対応するレーザＩＤ７１Ｂとして「９１５（つまり光源３１Ｆ）」および「７９０（つまり光源３１Ｅ）」が割り当てられている。
【００６１】
受付部６０は、可逆性記録媒体１００の種類を識別する識別子として、例えば、製品ＩＤ７１Ａの入力を受け付ける。受付部６０は、さらに、製品ＩＤ７１Ａに対応する可逆性記録媒体１００の消去用の光源を識別する識別子として、製品ＩＤ７１Ａに対応するレーザＩＤ７１Ｂをデータベース７１から読み出す。受付部６０は、さらに、データベース７１から読み出したレーザＩＤ７１Ｂを信号処理回路１０に出力する。信号処理回路１０は、受付部６０から入力されたレーザＩＤ７１Ｂに対応する複数の光源を選択し、選択した複数の光源を、レーザ駆動回路２２を介して制御する。このとき、信号処理回路１０は、製品ＩＤ７１Ａに対応する可逆性記録媒体１００に含まれる記録層１１３の数（例えば３つ）よりも少ない数（例えば２つ）の発光波長のレーザ光を可逆性記録媒体１００に照射するように光源部３２を制御する。
【００６２】
レーザ駆動回路２２は、例えば、光源部３２の各波長に応じた投影映像信号（消去用の投影画像信号）にしたがって光源部３２を駆動する。レーザ駆動回路２２は、例えば、投影画像信号に応じた画像（消去用の画像）を描画するためにレーザ光の輝度（明暗）をコントロールする。レーザ駆動回路２２は、例えば、光源３１Ｄを駆動する駆動回路２０Ｄと、光源３１Ｅを駆動する駆動回路２０Ｅと、光源３１Ｆを駆動する駆動回路２０Ｆとを有している。
【００６３】
光源部３２は、例えば、２つの反射ミラー３２ａ，３２ｄと、２つのダイクロイックミラー３２ｂ，３２ｃとを有している。
【００６４】
２つの光源３１Ｄ，３１Ｅから出射された各レーザ光Ｌｄ，Ｌｅは、例えば、コリメートレンズによってほぼ平行光（コリメート光）にされる。その後、例えば、レーザ光Ｌｄは、反射ミラー３２ａで反射されるとともにダイクロイックミラー３２ｂで反射され、レーザ光Ｌｅは、ダイクロイックミラー３２ｂを透過することにより、レーザ光Ｌｄとレーザ光Ｌｅとが合波される。光源部３２は、例えば、合波により得られた合波光Ｌｍをスキャナ部５０に出力する。
【００６５】
光源３１Ｆから出射されたレーザ光Ｌｆは、例えば、コリメートレンズによってほぼ平行光（コリメート光）にされる。その後、例えば、レーザ光Ｌｆは、例えば、反射ミラー３２ｄで反射されるとともにダイクロイックミラー３２ｃで反射される。光源部３２は、例えば、ダイクロイックミラー３２ｃで反射されたレーザ光Ｌｆをスキャナ部５０に出力する。
【００６６】
次に、可逆性記録媒体１００における情報の消去について説明する。なお、可逆性記録媒体１００における情報の書き込み方法は、上記実施の形態に記載の書き込み方法と同様である。
【００６７】
[消去]
まず、情報の書き込まれた可逆性記録媒体１００を用意し、消去装置３にセットする。次に、ユーザは、受付部６０に、製品ＩＤを入力する。すると、受付部６０は、ユーザから製品ＩＤを受け付けるとともに、受け付けた製品ＩＤに関連するレーザＩＤ７１Ｂを記憶部７０（データベース７１）から読み出す。受付部６０は、記憶部７０（データベース７１）から読み出したレーザＩＤ７１Ｂを信号処理回路１０に出力する。信号処理回路１０は、受付部６０から入力されたレーザＩＤ７１Ｂに基づいて、駆動する光源を選択する。信号処理回路１０は、選択した光源を駆動するための投影映像信号（消去用の投影画像信号）を生成する。信号処理回路１０は、生成した投影画像信号を、レーザ駆動回路２０に出力する。このとき、信号処理回路１０は、セットされた可逆性記録媒体１００に含まれる記録層１１３の数（例えば３つ）よりも少ない数（例えば２つ）の発光波長のレーザ光を可逆性記録媒体１００に照射するように光源部３１を制御する。
【００６８】
ここで、ユーザから入力された製品ＩＤが「００１」であったとする。このとき、発光波長λ５（例えば８８０ｎｍ）のレーザ光Ｌｄが、例えば、記録層１１３ａ，１１３ｂ内の光熱変換剤１００Ｃに吸収される。また、発光波長λ６（例えば７９０ｎｍ）のレーザ光Ｌｅが、例えば、記録層１１３ｃ内の光熱変換剤１００Ｃに吸収される。これらにより、記録層１１３ａ，１１３ｂ，１１３ｃ内の光熱変換剤１００Ｃから発生した熱により各記録層１１３内のロイコ色素１０Ａが消去温度に到達し、顕色剤と分離して消色する。このようにして、消去装置３は、可逆性記録媒体１００に書き込まれた情報の消去を行う。
【００６９】
一方、ユーザから入力された製品ＩＤが「００２」であったとする。このとき、発光波長λ７（例えば９１５ｎｍ）のレーザ光Ｌｆが、例えば、記録層１１３ａ，１１３ｂ内の光熱変換剤１００Ｃに吸収される。また、発光波長λ６（例えば７９０ｎｍ）のレーザ光Ｌｅが、例えば、記録層１１３ｃ内の光熱変換剤１００Ｃに吸収される。これらにより、記録層１１３ａ，１１３ｂ，１１３ｃ内の光熱変換剤１０Ｃから発生した熱により各記録層１１３内のロイコ色素１０Ａが消去温度に到達し、顕色剤と分離して消色する。このようにして、消去装置１は、可逆性記録媒体１００に書き込まれた情報の消去を行う。
【００７０】
このように、本実施の形態では、可逆性記録媒体１００に対して２種類の消去方法を選択することができる。
【００７１】
＜４．第３の実施の形態の変形例＞
次に、第３の実施の形態に係る消去装置３の変形例について説明する。
【００７２】
図１２は、本変形例に係る消去装置３のシステム構成例を表したものである。本変形例では、記憶部７０は、例えば、図１２、図１３に示したように、可逆性記録媒体１００の種類を識別する識別子（第１識別子）と、光源部３３に含まれる１または複数の光源を識別する識別子（第２識別子）とを関連付けて記憶する。記憶部７０は、例えば、図１２、図１３に示したように、第１識別子と、第２識別子とを関連付けたデータベース７１を有している。データベース７１は、第１識別子として、可逆性記録媒体１００の種類を識別する製品ＩＤ７１Ａを記憶しており、第２識別子として、可逆性記録媒体１００に対応する光源の種類を識別するレーザＩＤ７１Ｂを記憶している。
【００７３】
ここで、光源３３が条件３および条件４のいずれの条件（式（５）〜式（６））にも合致する光源を有しているとする。このとき、光源３３は、例えば、光源３１Ｇ，３１Ｈを有している。光源３１Ｇは、発光波長λ３のレーザ光Ｌｇを出射する半導体レーザである。光源３１Ｈは、発光波長λ４のレーザ光Ｌｈを出射する半導体レーザである。発光波長λ３は、以下の条件３（式（５））を満たしている。発光波長λ４は、以下の条件４（式（６））を満たしている。発光波長λ３は、例えば、８６０ｎｍであり、発光波長λ４は、例えば、７６０ｎｍである。
【００７４】
〜条件３〜
λａ２−１０ｎｍ＜λ３＜λａ２＋１０ｎｍ…（５）
〜条件４〜
λａ３−１０ｎｍ＜λ４＜λａ３＋１０ｎｍ…（６）
【００７５】
光源３３が条件３および条件４のいずれの条件（式（５）〜式（６））にも合致する光源を有している場合、データベース７１には、例えば、条件３に対応する製品ＩＤ７１Ａとして「００３」が割り当てられており、条件３に対応するレーザＩＤ７１Ｂとして「８６０（つまり光源３１Ｇ）」が割り当てられている。また、データベース７１には、例えば、条件４に対応する製品ＩＤ７１Ａとして「００４」が割り当てられており、条件４に対応するレーザＩＤ７１Ｂとして「７６０（つまり光源３１Ｈ）」が割り当てられている。
【００７６】
受付部６０は、可逆性記録媒体１００の種類を識別する識別子として、例えば、製品ＩＤ７１Ａの入力を受け付ける。受付部６０は、さらに、製品ＩＤ７１Ａに対応する可逆性記録媒体１００の消去用の光源を識別する識別子として、製品ＩＤ７１Ａに対応するレーザＩＤ７１Ｂをデータベース７１から読み出す。受付部６０は、さらに、データベース７１から読み出したレーザＩＤ７１Ｂを信号処理回路１０に出力する。信号処理回路１０は、受付部６０から入力されたレーザＩＤ７１Ｂに対応する複数の光源を選択し、選択した複数の光源を、レーザ駆動回路２２を介して制御する。このとき、信号処理回路１０は、製品ＩＤ７１Ａに対応する可逆性記録媒体１００に含まれる記録層１１３の数（例えば３つ）よりも少ない数（例えば１つ）の発光波長のレーザ光を可逆性記録媒体１００に照射するように光源部３２を制御する。
【００７７】
レーザ駆動回路２３は、例えば、光源部３３の各波長に応じた投影映像信号（消去用の投影画像信号）にしたがって光源部３３を駆動する。レーザ駆動回路２３は、例えば、投影画像信号に応じた画像（消去用の画像）を描画するためにレーザ光の輝度（明暗）をコントロールする。レーザ駆動回路２３は、例えば、光源３１Ｇを駆動する駆動回路２０Ｇと、光源３１Ｈを駆動する駆動回路２０Ｈとを有している。
【００７８】
光源部３３は、例えば、１つの反射ミラー３２ａと、１つのダイクロイックミラー３２ｂとを有している。
【００７９】
光源３１Ｇから出射されたレーザ光Ｌｇは、例えば、コリメートレンズによってほぼ平行光（コリメート光）にされる。その後、例えば、レーザ光Ｌｇは、反射ミラー３２ａで反射されるとともにダイクロイックミラー３２ｂで反射される。光源部３３は、例えば、ダイクロイックミラー３２ｃで反射されたレーザ光Ｌｇをスキャナ部５０に出力する。
【００８０】
光源３１Ｈから出射されたレーザ光Ｌｈは、例えば、コリメートレンズによってほぼ平行光（コリメート光）にされる。その後、例えば、レーザ光Ｌｈは、例えば、ダイクロイックミラー３２ｂを透過する。光源部３２は、例えば、ダイクロイックミラー３２ｃを透過したレーザ光Ｌｈをスキャナ部５０に出力する。
【００８１】
次に、可逆性記録媒体１００における情報の消去について説明する。なお、可逆性記録媒体１００における情報の書き込み方法は、上記実施の形態に記載の書き込み方法と同様である。
【００８２】
[消去]
まず、情報の書き込まれた可逆性記録媒体１００を用意し、消去装置３にセットする。次に、ユーザは、受付部６０に、製品ＩＤを入力する。すると、受付部６０は、ユーザから製品ＩＤを受け付けるとともに、受け付けた製品ＩＤに関連するレーザＩＤ７１Ｂを記憶部７０（データベース７１）から読み出す。受付部６０は、記憶部７０（データベース７１）から読み出したレーザＩＤ７１Ｂを信号処理回路１０に出力する。信号処理回路１０は、受付部６０から入力されたレーザＩＤ７１Ｂに基づいて、駆動する光源を選択する。信号処理回路１０は、選択した光源を駆動するための投影映像信号（消去用の投影画像信号）を生成する。信号処理回路１０は、生成した投影画像信号を、レーザ駆動回路２０に出力する。このとき、信号処理回路１０は、セットされた可逆性記録媒体１００に含まれる記録層１１３の数（例えば３つ）よりも少ない数（例えば１つ）の発光波長のレーザ光を可逆性記録媒体１００に照射するように光源部３１を制御する。
【００８３】
ここで、ユーザから入力された製品ＩＤが「００３」であったとする。このとき、発光波長λ３（例えば８６０ｎｍ）のレーザ光Ｌｇが、例えば、記録層１１３ａ，１１３ｂ内の光熱変換剤１００Ｃに吸収される。これにより、記録層１１３ａ，１１３ｂ内の光熱変換剤１００Ｃから発生した熱により各記録層１１３内のロイコ色素１０Ａが消去温度に到達し、顕色剤と分離して消色する。このようにして、消去装置３は、可逆性記録媒体１００に書き込まれた情報の消去を行う。
【００８４】
一方、ユーザから入力された製品ＩＤが「００４」であったとする。このとき、発光波長λ４（例えば７６０ｎｍ）のレーザ光Ｌｈが、例えば、記録層１１３ｂ，１１３ｃ内の光熱変換剤１００Ｃに吸収される。これにより、記録層１１３ｂ，１１３ｃ内の光熱変換剤１０Ｃから発生した熱により各記録層１１３内のロイコ色素１０Ａが消去温度に到達し、顕色剤と分離して消色する。このようにして、消去装置１は、可逆性記録媒体１００に書き込まれた情報の消去を行う。
【００８５】
このように、本変形例でも、可逆性記録媒体１００に対して２種類の消去方法を選択することができる。
【００８６】
以上、実施の形態およびその変形例を挙げて本開示を説明したが、本開示は上記実施の形態等に限定されるものではなく、種々変形が可能である。なお、本明細書中に記載された効果は、あくまで例示である。本開示の効果は、本明細書中に記載された効果に限定されるものではない。本開示が、本明細書中に記載された効果以外の効果を持っていてもよい。
【００８７】
また、例えば、本開示は以下のような構成を取ることができる。
（１）
可逆性感熱発色性組成物と光熱変換剤とを含む記録層と断熱層とが交互に積層され、かつ各前記可逆性感熱発色性組成物の発色色調が前記記録層ごとに異なるとともに各前記光熱変換剤の吸収波長が前記記録層ごとに異なる可逆性記録媒体に対して、書き込まれた情報の消去を行う消去装置であって、
１または複数のレーザ素子を含む光源部と、
前記可逆性記録媒体に含まれる前記記録層の数よりも少ない数の発光波長のレーザ光を前記可逆性記録媒体に照射するように前記光源部を制御する制御部と
を備えた
消去装置。
（２）
前記可逆性記録媒体の種類を識別する第１識別子の入力を受け付ける受付部を更に備え、
前記制御部は、前記受付部で受け付けた前記第１識別子に対応する前記可逆性記録媒体に含まれる前記記録層の数よりも少ない数の発光波長のレーザ光を前記可逆性記録媒体に照射するように前記光源部を制御する
（１）に記載の消去装置。
（３）
前記第１識別子と、前記光源部に含まれる前記１または複数のレーザ素子を識別する第２識別子とを関連付けて記憶する記憶部を更に備え、
前記制御部は、前記受付部で受け付けた前記第１識別子に関連する前記第２識別子を前記記憶部から読み出し、前記光源部に含まれる前記１または複数のレーザ素子のうち、前記記憶部から読み出した前記第２識別子に対応する１または複数の第１レーザ素子を駆動する
（２）に記載の消去装置。
（４）
前記受付部で受け付けた前記第１識別子に対応する前記可逆性記録媒体には、複数の前記記録層として、吸収波長が波長λａ１である第１記録層、吸収波長が波長λａ２（λａ２＜λａ１）である第２記録層、および吸収波長が波長λａ３（λａ３＜λａ２）である第３記録層が設けられており、
前記光源部には、複数の前記レーザ素子として、発光波長がλｂ１（λａ２＜λｂ１＜λａ１）である第１レーザ素子、および発光波長がλｂ２（λａ３＜λｂ２＜λａ２）である第２レーザ素子が設けられており、
前記記憶部には、前記第２識別子として、前記第１レーザ素子および前記第２レーザ素子の識別子が記憶されている
（３）に記載の消去装置。
（５）
前記受付部で受け付けた前記第１識別子に対応する前記可逆性記録媒体には、複数の前記記録層として、吸収波長が波長λａ１である第１記録層、吸収波長が波長λａ２（λａ２＜λａ１）である第２記録層、および吸収波長が波長λａ３（λａ３＜λａ２）である第３記録層が前記可逆性記録媒体の基材側からこの順に設けられており、
前記光源部には、１つの前記レーザ素子として、発光波長がλｂ３（λａ２−１０ｎｍ＜λｂ３＜λａ２＋１０ｎｍ）である第３レーザ素子が設けられており、
前記記憶部には、前記第２識別子として、前記第３レーザ素子の識別子が記憶されている
（３）に記載の消去装置。
（６）
前記受付部で受け付けた前記第１識別子に対応する前記可逆性記録媒体には、複数の前記記録層として、吸収波長が波長λａ１である第１記録層、吸収波長が波長λａ２（λａ２＜λａ１）である第２記録層、および吸収波長が波長λａ３（λａ３＜λａ２）である第３記録層が前記可逆性記録媒体の基材側からこの順に設けられており、
前記光源部には、１つの前記レーザ素子として、発光波長がλｂ４（λａ３−１０ｎｍ＜λｂ４＜λａ３＋１０ｎｍ）である第４レーザ素子が設けられており、
前記記憶部には、前記第２識別子として、前記第４レーザ素子の識別子が記憶されている
（３）に記載の消去装置。
（７）
前記受付部で受け付けた前記第１識別子に対応する前記可逆性記録媒体には、複数の前記記録層として、吸収波長が波長λａ１である第１記録層、吸収波長が波長λａ２（λａ２＜λａ１）である第２記録層、および吸収波長が波長λａ３（λａ３＜λａ２）である第３記録層が前記可逆性記録媒体の基材側からこの順に設けられており、
前記光源部には、複数の前記レーザ素子として、発光波長がλｂ５（λａ３＜λｂ５＜λａ２）である第５レーザ素子、および発光波長がλｂ６（λａ１−１０ｎｍ＜λｂ６＜λａ１＋１０ｎｍ）である第６レーザ素子が設けられており、
前記記憶部には、前記第２識別子として、前記第５レーザ素子および前記第６レーザ素子の識別子が記憶されている
（３）に記載の消去装置。
（８）
可逆性感熱発色性組成物と光熱変換剤とを含む記録層と断熱層とが交互に積層され、かつ各前記可逆性感熱発色性組成物の発色色調が前記記録層ごとに異なるとともに各前記光熱変換剤の吸収波長が前記記録層ごとに異なる可逆性記録媒体に対して、
前記可逆性記録媒体に含まれる前記記録層の数よりも少ない数の発光波長のレーザ光を前記可逆性記録媒体に照射することにより、前記可逆性記録媒体に書き込まれた情報の消去を行うことを含む
消去方法。
（９）
前記可逆性記録媒体には、複数の前記記録層として、吸収波長が波長λａ１である第１記録層、吸収波長が波長λａ２（λａ２＜λａ１）である第２記録層、および吸収波長が波長λａ３（λａ３＜λａ２）である第３記録層が設けられており、
前記可逆性記録媒体への前記レーザ光の照射に際して、発光波長がλｂ１（λａ２＜λｂ１＜λａ１）である第１レーザ光と、発光波長がλｂ２（λａ３＜λｂ２＜λａ２）である第２レーザ光とを用いることを含む
（８）に記載の消去方法。
（１０）
前記可逆性記録媒体には、複数の前記記録層として、吸収波長が波長λａ１である第１記録層、吸収波長が波長λａ２（λａ２＜λａ１）である第２記録層、および吸収波長が波長λａ３（λａ３＜λａ２）である第３記録層が前記可逆性記録媒体の基材側からこの順に設けられており、
前記可逆性記録媒体への前記レーザ光の照射に際して、発光波長がλｂ３（λａ２−１０ｎｍ＜λｂ３＜λａ２＋１０ｎｍ）である第３レーザ光を用いることを含む
（８）に記載の消去方法。
（１１）
前記可逆性記録媒体には、複数の前記記録層として、吸収波長が波長λａ１である第１記録層、吸収波長が波長λａ２（λａ２＜λａ１）である第２記録層、および吸収波長が波長λａ３（λａ３＜λａ２）である第３記録層が前記可逆性記録媒体の基材側からこの順に設けられており、
前記可逆性記録媒体への前記レーザ光の照射に際して、発光波長がλｂ４（λａ３−１０ｎｍ＜λｂ４＜λａ３＋１０ｎｍ）である第４レーザ光を用いることを含む
（８）に記載の消去方法。
（１２）
前記可逆性記録媒体には、複数の前記記録層として、吸収波長が波長λａ１である第１記録層、吸収波長が波長λａ２（λａ２＜λａ１）である第２記録層、および吸収波長が波長λａ３（λａ３＜λａ２）である第３記録層が前記可逆性記録媒体の基材側からこの順に設けられており、
前記可逆性記録媒体への前記レーザ光の照射に際して、発光波長がλｂ５（λａ３＜λｂ５＜λａ２）である第５レーザ光と、発光波長がλｂ６（λａ１−１０ｎｍ＜λｂ６＜λａ１＋１０ｎｍ）である第６レーザ光とを用いることを含む
（８）に記載の消去方法。
【００８８】
本出願は、日本国特許庁において２０１７年６月２０日に出願された日本特許出願番号第２０１７−１２０７３９号を基礎として優先権を主張するものであり、この出願のすべての内容を参照によって本出願に援用する。
【００８９】
当業者であれば、設計上の要件や他の要因に応じて、種々の修正、コンビネーション、サブコンビネーション、および変更を想到し得るが、それらは添付の請求の範囲やその均等物の範囲に含まれるものであることが理解される。
【図１】
2018235446.tif 000009
【図２】
2018235446.tif 000010
【図３】
2018235446.tif 000011
【図４】
2018235446.tif 000012
【図５】
2018235446.tif 000013
【図６】
2018235446.tif 000014
【図７】
2018235446.tif 000015
【図８】
2018235446.tif 000016
【図９】
2018235446.tif 000017
【図１０】
2018235446.tif 000018
【図１１】
2018235446.tif 000019
【図１２】
2018235446.tif 000020
【図１３】
2018235446.tif 000021
【国際調査報告】
2018235446.tif 000022
2018235446.tif 000023
2018235446.tif 000024